(57)【要約】【課題】  ＯＳＤ画像の表示が多階層にわたる場合にも、入力画像を妨げることなく、ＯＳＤ表示を可能とする画像表示装置を提供する。【解決手段】  アスペクト比３：４の入力画像を、アスペクト比９：１６の表示画面を有するＬＣＤパネル１９に表示するとともに、入力画像が表示されていない黒帯部分に多階層のＯＳＤ画像を表示する。メモリ２２内のＲＯＭ２３にＯＳＤ画像を記憶する。マイコン２０は、入力画像と余白部分の表示位置を画像処理部１７に送り、ＬＣＤパネル１９に表示させる画像データを生成させる。このとき、ＯＳＤコントローラ２４は、ＲＯＭ２３から所望のＯＳＤ画像を読み出し、マイコン２０から黒帯部分の位置を求めて、ＯＳＤ画像の階層ごとに黒帯部分を順次表示する指示を画像処理部１７に送出する。【選択図】図１
2007194773.tif 000002
【特許請求の範囲】
【請求項１】
第１のアスペクト比を有する入力画像を、該第１のアスペクト比より横長の第２のアスペクト比を有する表示画面に表示するとともに、前記入力画像が表示されていない余白部分に多階層のＯＳＤ画像を表示する画像表示装置であって、
ＯＳＤ画像を記憶する記憶手段と、
入力画像と余白部分の表示位置を制御する表示制御手段と、
前記記憶手段から所望のＯＳＤ画像を読み出し、前記表示制御手段から余白部分の位置を求めて、ＯＳＤ画像の階層ごとに前記余白部分に順次表示する位置を指定するＯＳＤ制御手段と、
前記入力画像と前記ＯＳＤ制御手段により指定されたＯＳＤ画像を合わせて表示する処理を行う画像表示処理手段とを有することを特徴とする画像表示装置。
【請求項２】
前記表示制御手段は、表示画面の片側に余白部分をまとめて配置し、
前記ＯＳＤ制御手段は、表示するＯＳＤ画像を階層ごとに順次隣接させて表示することを特徴とする請求項１に記載の画像表示装置。
【請求項３】
前記ＯＳＤ制御手段は、余白部分にＯＳＤ画像の表示できる部分がなくなった場合、表示されている最先表示の階層のＯＳＤ画像を消去して、残りの表示ＯＳＤ画像を消去したＯＳＤ画像位置にずらし、余白部分の空いている位置に次のＯＳＤ画像を表示することを特徴とする請求項１または２に記載の画像表示装置。
【発明の詳細な説明】
【技術分野】
【０００１】
本発明は、テレビ放送やＤＶＤ等からの画像画面を表示しながら、文字や図形等の画像を表示するＯＳＤ（オン・スクリーン・ディスプレイ）機能を有する画像表示装置に関する。
【背景技術】
【０００２】
テレビジョン受像機等の画像表示装置には、入力されたビデオ画像の画面上に文字や図形等の画像を表示するＯＳＤ（オン・スクリーン・ディスプレイ）機能を有するものがある。このＯＳＤ機能により表示される文字や図形は、ビデオ画像上に重ねて表示されていた。しかしながら、ＯＳＤ表示により、ＯＳＤ部分のビデオ画像が隠れて見えない問題があった。これを解決するため、ＯＳＤ部分を透けるようにことによってビデオ画像を見やすくすると、今度はＯＳＤ画像が見にくくなるという問題があった。
【０００３】
そこで、後述する特許文献１では、図７に示すように、アスペクト比９：１６の液晶パネル１００へアスペクト比（縦：横）３：４のビデオ画像１０１を表示した場合、ビデオ画像１０１が表示されない余白部分１０２に、チャネルを示すＯＳＤが画像を表示する装置が開示されている。ユーザが右側に位置している場合、余白部分１０２を液晶パネル１００の右端に移動している。こうすることで、ＯＳＤ画像によりビデオ画像が隠されることもなく、ユーザにＯＳＤ画像を見やすくしている。
【特許文献１】特開２００３−３１９２７７号公報
【発明の開示】
【発明が解決しようとする課題】
【０００４】
しかしながら、この場合は、ユーザの位置から見やすい位置にＯＳＤ画像を移動しているが、最近、画像表示装置の機能が増え、ＯＳＤ画像の表示量は増えつつある。特許文献１の場合は、単純なチャンネル表示等を考えているが、たとえば、操作メニューのように何層にもわたる説明画像の表示については、何ら考えられていない。
【０００５】
本発明は、斯かる実情に鑑み、ＯＳＤ画像の表示が多階層にわたる場合にも、入力画像を妨げることなく、ＯＳＤ表示を可能とする画像表示装置を提供しようとするものである。
【課題を解決するための手段】
【０００６】
本発明は、第１のアスペクト比を有する入力画像を、該第１のアスペクト比より横長の第２のアスペクト比を有する表示画面に表示するとともに、前記入力画像が表示されていない余白部分に多階層のＯＳＤ画像を表示する画像表示装置であって、
ＯＳＤ画像を記憶する記憶手段と、入力画像と余白部分の表示位置を制御する表示制御手段と、前記記憶手段から所望のＯＳＤ画像を読み出し、前記表示制御手段から余白部分の位置を求めて、ＯＳＤ画像の階層ごとに前記余白部分に順次表示する位置を指定するＯＳＤ制御手段と、前記入力画像と前記ＯＳＤ制御手段により指定されたＯＳＤ画像を合わせて表示する処理を行う画像表示処理手段とを有することを特徴とする。
【０００７】
また、前記表示制御手段は、表示画面の片側に余白部分をまとめて配置し、前記ＯＳＤ制御手段は、表示するＯＳＤ画像を階層ごとに順次隣接させて表示することを特徴とする。
【０００８】
また、前記ＯＳＤ制御手段は、余白部分にＯＳＤ画像の表示できる部分がなくなった場合、表示されている最先表示の階層のＯＳＤ画像を消去して、残りの表示ＯＳＤ画像を消去したＯＳＤ画像位置にずらし、余白部分の空いている位置に次のＯＳＤ画像を表示することを特徴とする。
【発明の効果】
【０００９】
本発明によれば、表示画面の余白部分にＯＳＤの階層表示を行っていくので、入力された画像が隠れることなく、またＯＳＤ画像もビデオ画像の影響により見にくくなることもない状態で表示できる利点がある。
また、階層の数が多く、黒帯部分内にすべてを表示できない場合は、最先の階層の画像から順次消去し、残りの表示ＯＳＤ画像を消去したＯＳＤ画像位置にずらすので、新たな階層の画層表示を行うことができる。こうして、階層数が多くても、黒帯部分に表示することができ、ビデオ画像やＯＳＤ画像が見にくくなることがない。
【発明を実施するための最良の形態】
【００１０】
以下、本発明の実施の形態を添付図面を参照して説明する。
図１は本発明に係る画像表示装置であるテレビジョン装置の一実施形態を示すブロック図である。
このテレビジョン装置１０は、アスペクト比９：１６の表示画面をもつ液晶パネル１９を備え、入力画像を表示する。入力画像は、地上波テレビ放送（アナログ放送）、ＣＡＴＶ、ＤＶＤ等のビデオ画像である。テレビ放送については、アンテナ３０を通じて受信し、Ｕ／Ｖチューナ１１で所定のチャンネルの信号を抽出する。また、ＣＡＴＶについては、放送ＣＡＴＶ用の専用チューナ１２によりの所定のチャネルの信号を抽出する。さらには、ＤＶＤ等のビデオ画像は、入力端子１３からビデオ信号を入力される。
なお、入力画像の信号はこれらに限らず、地上波デジタル放送や衛星デジタル放送からの画像でもよいし、パソコン等からの画像信号でも構わない。
【００１１】
入力された信号はＡＶセレクタ１４で選択され、デコーダ１５で復号化される。そして、復号化された音声信号は音声処理部１６に送られて処理され、スピーカから音声として出力される。また、復号化された画像信号は画像処理部１７に送られて表示画像が生成され、ＬＣＤパネル１に画像として表示される。
【００１２】
このテレビジョン装置の操作入力はリモコン３１によって行う。ユーザがリモコン３１のキーを押圧することにより、リモコン３１は操作指示信号を赤外線に変換して発光する。テレビジョン装置１０の受光部２１が赤外線を受光して電気信号に変換し、制御部であるマイコン２０に送出する。マイコン２０は、操作指示信号に基づいて各部を制御する。
【００１３】
ここで、あらかじめＯＳＤ画像である文字データや画像データがメモリ２２内のＲＯＭ２３に記憶されている。マイコン２０は、リモコン３１からＯＳＤ表示を行う指示があれば、このＯＳＤ画像を読み出してＯＳＤコントローラ２４に出力させる。同時にＯＳＤコントローラ２４に現在表示している画像のアスペクト比と、ビデオ画像を表示していない余白部分の位置データを出力する。
【００１４】
ＯＳＤコントローラ２４は、ＯＳＤ画像データとビデオ画像の表示位置データ等に基づいて、ＯＳＤ画像の表示位置を設定する。画像処理部１７はビデオ画像データとＯＳＤ画像データに基づいて、表示画像を形成する処理を行い、ＬＣＤパネル１９に表示させる。
【００１５】
図２は、リモコン３１の一例を示す外観図である。
リモコン３１は、操作キーとして、電源キー４１、テンキー４２、チャンネル順次選択キー４３、音量キー４４、操作を戻す戻るキー４５、操作を終了する終了キー４６、操作を決定する決定キー４７、表示画面の左右上下方向へカーソルを移動させるカーソルキー４８、再生録画の操作を行う録再キー群４９等から構成される。録再キー群４９の中に、静止画をキャプチャする静止画キー５０と、記録媒体に記録を行う録画キー５１とが含まれる。さらに、ＬＣＤパネル１９の画面にメニューを表示させるメニューキー５２が配置されている。このメニューキー５２を押すことによって、リモコン３１にキーとして配置しきれない各操作項目が表示され、ユーザがそれを選択することによって、設定等の操作項目が表示可能となる。このメニュー項目は、多階層化されており、各項目について次の階層の項目群が存在し、ユーザが項目を選択すると次の階層の項目群が表示される。
【００１６】
図３は、メニュー項目のＯＳＤ画像を表示する処理の一例を示すフローチャートである。
まず、デコーダ１５から復号化された画像のアスペクト比が３：４である場合は、画像処理部１７は、このアスペクト比にてビデオ画像を生成する。このとき、ＬＣＤパネル１９の表示画面のアスペクト比は９：１６であるから、表示画面の方が横軸方項に長い。従って、通常、ビデオ画像が表示される場合は、図４（ａ）に示すように、ビデオ画像の表示領域６１が中央に配置され、ＬＣＤパネル１９の表示画面の両端に、余白部分、図では黒帯部分６２，６３が配置される。
【００１７】
メニューキー５２がユーザにより押圧されると（ステップＳ１１）、リモコン３１を発射した赤外線は受光部２１に受光されて電気信号に変換され、マイコン２０に伝達される。マイコン２０は、入力されたビデオ画像のアスペクト比が３：４であることをデコーダを出力した画像データから検出する（ステップＳ１２）。アスペクト比が３：４でなければ、処理を終了し、アスペクト比が３：４であれば、ステップＳ１３に進む。
【００１８】
ステップＳ１３において、画像処理部１７が、図４（ｂ）に示すように、黒帯部分６２に第１階層のＯＳＤ画像を表示する。このときは、マイコン２０が、メニュー項目の第１層の画像データをＲＯＭ２３から読み出し、ビデオ画像のアスペクト比と黒帯部分の位置データとともにＯＳＤコントローラ２４に送出する。ＯＳＤコントローラ２４は、ＯＳＤコントローラ２４は、黒帯部分６２にメニューの第１階層のＯＳＤ画像を配置する指示を画像処理部１７に出して、画像処理部１７が図４（ｂ）の表示を行う。
【００１９】
ここで、カーソルが表示され（図示せず）、ユーザは、リモコン３１を用いて所望のメニュー項目を選択することができる。
【００２０】
マイコン２０は、ユーザがカーソルによるメニュー項目の選択を行ったかを確認し（ステップＳ１４）、選択されていれば、選択されたメニュー項目に第２階層の項目群があるかをＲＯＭ２３に確認する（ステップＳ１５）。もし、第２階層がなければ、処理を終了する。
【００２１】
第２階層があれば、たとえば、ＬＣＤパネル１９に黒帯部分の移動選択項目が表示され、詳しくは後述するが、ユーザに黒帯部分の移動を選択させる。そして、マイコンは黒帯部分の移動指示があったかを確認する（ステップＳ１６）。
【００２２】
マイコン２０は、ユーザからの移動指示があればステップＳ１７に進み、画像処理部１７に画像の移動処理をさせる。すなわち、図５（ａ）に示すように、右側にあった黒帯部分６３を左端黒帯部分６２の右隣に配置し、３：４の画像領域６１を水平方向に移動し、右端に配置する（ステップＳ１７）。そして、マイコン２０に画像処理部１７に第１階層であるＯＳＤ画像６４の右隣に第２の階層であるＯＳＤ画像６５を表示させ（ステップＳ１８）、カーソルを表示させる。
【００２３】
ユーザからの画像の移動指示がなければ、図５（ｂ）に示すように、右端の黒帯部分６３に第２の階層であるＯＳＤ画像６５を表示させ（ステップＳ１９）、カーソルを表示させる。
【００２４】
このフローチャートでは、黒帯部分は左端に寄せる処理を記載したが、右端に寄せてもかまわない。黒帯部分６２，６３は、左右移動可能で、ユーザはリモコン３１を用いて、いずれかの黒帯部分を他の黒帯部分の隣に移動が可能としてもよい。また、リモコン３１に黒帯部分の移動キー等を設けて、移動したい方向にカーソルキー４８を押すことによって、黒帯部分を移動できるようにしてもよい。さらに、第２階層の表示処理部分で、ユーザに黒帯部分の移動選択をさせているが、どの時点でも移動が可能としてもよい。
【００２５】
カーソル選択があった場合、選択されたメニュー項目に第３階層の項目群があるかをＲＯＭ２３に確認する（ステップＳ２１）。もし、第３階層がなければ、処理を終了する。
【００２６】
第３階層があれば、第１階層の画像を消去し、その位置に第２階層の画像を移動する（ステップＳ２２）。そして、第３層の画像を第２層の画像が表示されていた位置に表示する（ステップＳ２３）。
【００２７】
こうして、黒帯部分にＯＳＤ画像の階層表示を行っていくので、入力された画像が隠れることなく、またＯＳＤ画像もビデオ画像の影響により見にくくなることもない状態で表示できる。
【００２８】
なお、このフローチャートでは第３層までを記載しているが、第４層以上存在しても、順次、最先に表示されている階層の画像を消して、その位置に次の階層の画像を移動し、新階層画像の表示領域を形成していくことができる。
【００２９】
また、この実施例では、１つの黒帯に１つの階層画像しか表示していないが、１つの黒帯部分に複数の黒帯部分が表示できるものでもよい。また、黒帯部分の位置をユーザが選択するようになっているが、マイコン２０がＲＯＭ２３のデータからメニュー項目が多階層であることを検知した場合は、自動的に黒帯部分を表示画面の一方の端に寄せて、表示するようにしてもよい。多階層の場合は、一方にまとめて表示した方が、ユーザに階層の関係がわかりやすい利点が有るからである。
【００３０】
また、本実施例では、マイコンとＯＳＤコントローラが別々に設けられているが、マイコンがＯＳＤコントローラの機能を有するものであってもよい。
【図面の簡単な説明】
【００３１】
【図１】本発明に係る画像表示装置であるテレビジョン装置の一実施形態を示すブロック図である。
【図２】リモコンの一例を示す外観図である。
【図３】メニュー項目のＯＳＤ画像を表示する処理の一例を示すフローチャートである。
【図４】ＬＣＤパネルの表示状態を示す説明図であり、（ａ）はアスペクト比３：４のビデオ画像の表示例を示し、（ｂ）は黒帯部分に表示した第１階層のメニュー項目の表示例を示す。
【図５】ＬＣＤパネルの表示状態を示す説明図であり、（ａ）は黒帯部分が表示画面の両端に位置する場合の第１階層及び第２階層の表示例を示し、（ｂ）は黒帯部分が表示画面の一方の端に寄せられた場合の第１階層及び第２階層の表示例を示す。
【図６】従来のＯＳＤ画像の表示例を示す説明図である。
【符号の説明】
【００３２】
１０  テレビジョン装置
１１  Ｕ／Ｖチューナ
１２  ＣＡＴＶ専用チューナ
１３  入力端子
１４  ＡＶセレクタ
１５  デコーダ
１６  音声処理部
１７  画像処理部
１９  液晶パネル
２０  マイコン
２１  受光部
２２  メモリ
２３  ＲＯＭ
２４  ＯＳＤコントローラ
３０  アンテナ
３１  リモコン
４１  電源キー
４２  テンキー
４３  チャンネル順次選択キー
４４  音量キー
４５  戻るキー
４６  終了キー
４７  決定キー
４８  カーソルキー
４９  録再キー群
５０  静止画キー
５１  録画キー
５２  メニューキー
６１  ビデオ画像の表示領域
６２，６３  黒帯部分
６４  第１階層のＯＳＤ画像
６５  第２階層のＯＳＤ画像
【図１】
2007194773.tif 000003
【図２】
2007194773.tif 000004
【図３】
2007194773.tif 000005
【図４】
2007194773.tif 000006
【図５】
2007194773.tif 000007
【図６】
2007194773.tif 000008